(57)【特許請求の範囲】
【請求項１】
金銭の入出金を処理する金銭処理装置の金銭処理動作に関する情報を画面に表示する表示手段と、
前記金銭処理装置が操作者による所定の操作を必要とする状態になったことを検出する状態検出手段と、
前記状態検出手段によって検出される所定の操作の一連の手順を示す画像データが格納される記憶手段と、
前記状態検出手段によって所定の操作が必要な状態になったことが検出されると、前記記憶手段に格納された前記画像データを前記表示手段に表示させる表示制御手段と
を備えた金銭処理装置用の操作ガイダンス表示システムであって、
前記金銭処理装置は前記表示手段を備える端末機器と接続され、前記状態検出手段は、前記金銭処理装置において発生したエラー状態を検出可能であり、
前記記憶手段は、前記エラー状態を解除して正常状態へ復帰するためのエラー解除操作を手順毎に示した前記画像データを含む解除操作手順データを有し、
前記画像データは、エラー解除操作の進捗の各段階で操作者が目にする前記金銭処理装置の状況の画像データであり、この画像データはエラー解除操作の進捗の各段階に応じて複数用意されており、
前記表示制御手段は、前記状態検出手段によって前記エラー状態が検出されると、前記エラー状態に対応する前記解除操作手順データを前記記憶手段から読み出すとともに、操作者によるエラー解除操作の進捗状況に応じた前記画像データを、前記端末機器の前記表示手段にエラー解除操作の進捗状況に応じて順次表示させることを特徴とする金銭処理装置用の操作ガイダンス表示システム。
【請求項２】
前記状態検出手段は、前記金銭処理装置における金銭の在高枚数が確定しない在高不確定状態を検出可能であり、前記表示制御手段は、前記状態検出手段によって在高不確定状態が検出されると、前記金銭処理装置における金銭の在高枚数を再び計数するための操作手順を示す画像データを前記表示手段に表示させることを特徴とする請求項１に記載の金銭処理装置用の操作ガイダンス表示システム。
【請求項３】
前記金銭処理装置には前記表示手段を備える端末機器が接続され、複数の前記端末機器は少なくとも１台のストアサーバに接続され、前記記憶手段は前記ストアサーバに格納され、前記表示制御手段は、前記ストアサーバ部から前記画像データを読み出すとともに、読み出した画像データを、前記状態検出手段によって所定の操作が必要な状態になったことが検出された金銭処理装置に接続された端末機器の前記表示手段に表示させることを特徴とする請求項１または請求項２に記載の金銭処理装置用の操作ガイダンス表示システム。
【請求項４】
請求項１から請求項３のいずれか一つに記載の金銭処理装置に接続される端末機器の表示部を前記表示手段として機能させるためのプログラム。
【請求項５】
請求項１から請求項３のいずれか一つに記載の金銭処理装置に接続される端末機器の表示部に前記金銭処理装置のための操作ガイダンス表示機能を実現させるためのプログラム。
【請求項６】
請求項４または請求項５に記載のプログラムを記録したコンピュータ読み取り可能な記録媒体。
【発明の詳細な説明】
【技術分野】
【０００１】
本発明は、スーパーマーケットなどのＰＯＳ（Ｐｏｉｎｔ  Ｏｆ  Ｓａｌｅｓ）レジ端末等に接続して使用される金銭処理装置内で発生した異常（エラー）状態を解除して正常状態に復帰させる操作手順を案内する金銭処理装置用操作ガイダンス表示システム、およびそのシステムに関するプログラムやデータを記録したコンピュータ読み取り可能な記録媒体に関するものである。
【背景技術】
【０００２】
従来、スーパーマーケットやコンビニエンス・ストアなどにおいて、ＰＯＳ端末に接続された自動釣銭機などの金銭処理装置が知られている（例えば、特許文献１参照）。このような金銭処理装置は通常、買い物客から預かった紙幣や硬貨を入金して収納庫に収納する一方で、出金指示により収納庫から釣銭を出金する。
【０００３】
ＰＯＳ端末には、端末を稼働させる情報処理や接続された金銭処理装置との情報を送受信処理をするためのＰＯＳアプリケーションが組み込まれている。このＰＯＳアプリケーションは、金銭処理装置に対する入出金の処理状況などをその都度ＰＯＳ端末に備えられたタッチパネルなどの操作表示画面に表示し、レジ担当者に報知する。
【０００４】
そして、金銭処理装置内部において、紙幣ジャムなどのエラー状態が発生すると、このエラー状態に対応するエラーコードがＰＯＳアプリケーションを通じてＰＯＳ端末の表示画面に表示され、レジ担当者に報知される。レジ担当者は、このエラーコードに該当するエラー解除の操作手順を金銭処理装置の取扱説明書やエラー解除ハンドブックなどのマニュアルのなかから探し出し、本に記載された操作手順を参照しながらエラー解除の操作作業をすることによって金銭処理装置を正常状態に復帰させるようにしていた。
【０００５】
一方、ＡＴＭ等の自動取引装置において、装置内部で発生した紙幣ジャム等の障害を回復する手順を案内する案内装置が知られている（例えば、特許文献２参照）。特許文献２に示される案内装置によれば、センタに通知された障害発生を確認した係員がＡＴＭの設置場所まで行き、ＡＴＭの背面パネルを開け、背面パネルに設けられている係員案内表示部に表示されている障害の概要を確認するようになっている。次いで、タッチパネルの係員案内表示部の回復手順詳細キーを操作することによりＡＴＭのＲＡＭに記憶された回復手順図等を読み出して表示し、係員は表示された回復手順に基づいて障害の回復操作を行うようになっている。
【０００６】
【特許文献１】特開２００８−３８３２号公報
【特許文献２】特開平８−２５５２８０号公報
【発明の開示】
【発明が解決しようとする課題】
【０００７】
ところで、上記の金銭処理装置に対するエラー解除操作の手順は、複数の操作による一連の手順であって複雑な操作過程を経ることから、金銭処理装置の取扱説明書やエラー解除ハンドブックの熟知が要求され、不慣れな担当者には難しい。また、エラーなどのイベント発生の度毎に上記のハンドブックのなかからエラーコードなどのイベントコードに該当するページを検索し、この記載を参照しながらエラー解除などの操作をするので、この検索および参照作業が煩わしく感じられることがある。
【０００８】
また、上記の従来の特許文献２の案内装置を備えたＡＴＭ等の自動取引装置では、センタで障害通報を受けた係員がＡＴＭ等の背面パネルを開けてから係員案内表示部に表示された障害概要を確認した上でキーを入力し、ここに回復手順図等を表示させてから回復操作作業に移行するようになっており、障害通報を受けてから回復作業に着手するまでが容易ではなく手間を要している。また、自動取引装置の機種や構造などの仕様が異なる場合には一般に回復手順も異なることから、自動取引装置のＲＡＭに格納される回復手順図等のデータを自動取引装置毎に準備しなければならず、これに関して設計手間を要する。
【０００９】
本発明は、このような点に鑑みてなされたものであり、金銭処理装置の取扱説明書の参照に頼らずとも所定の操作を容易に行えるように操作者を支援する簡便な金銭処理装置用の操作ガイダンス表示システム、そのシステムに関するプログラムおよびコンピュータ読み取り可能な記録媒体を提供することを目的とする。
【課題を解決するための手段】
【００１０】
上記の目的を達成するために、本発明の請求項１に係る金銭処理装置用の操作ガイダンス表示システムは、金銭の入出金を処理する金銭処理装置の金銭処理動作に関する情報を画面に表示する表示手段と、前記金銭処理装置が操作者による所定の操作を必要とする状態になったことを検出する状態検出手段と、前記状態検出手段によって検出される所定の操作の一連の手順を示す画像データが格納される記憶手段と、前記状態検出手段によって所定の操作が必要な状態になったことが検出されると、前記記憶手段に格納された前記画像データを前記表示手段に表示させる表示制御手段とを備えた金銭処理装置用の操作ガイダンス表示システムであって、前記金銭処理装置は前記表示手段を備える端末機器と接続され、前記状態検出手段は、前記金銭処理装置において発生したエラー状態を検出可能であり、前記記憶手段は、前記エラー状態を解除して正常状態へ復帰するためのエラー解除操作を手順毎に示した前記画像データを含む解除操作手順データを有し、前記画像データは、エラー解除操作の進捗の各段階で操作者が目にする前記金銭処理装置の状況の画像データであり、この画像データはエラー解除操作の進捗の各段階に応じて複数用意されており、前記表示制御手段は、前記状態検出手段によって前記エラー状態が検出されると、前記エラー状態に対応する前記解除操作手順データを前記記憶手段から読み出すとともに、操作者によるエラー解除操作の進捗状況に応じた前記画像データを、前記端末機器の前記表示手段にエラー解除操作の進捗状況に応じて順次表示させることを特徴とする。
【００１２】
また、本発明の請求項２に係る金銭処理装置用の操作ガイダンス表示システムは、上述した請求項１において、前記状態検出手段は、前記金銭処理装置における金銭の在高枚数が確定しない在高不確定状態を検出可能であり、前記表示制御手段は、前記状態検出手段によって在高不確定状態が検出されると、前記金銭処理装置における金銭の在高枚数を再び計数するための操作手順を示す画像データを前記表示手段に表示させることを特徴とする。
【００１３】
また、本発明の請求項３に係る金銭処理装置用の操作ガイダンス表示システムは、上述した請求項１または請求項２において、前記金銭処理装置には前記表示手段を備える端末機器が接続され、複数の前記端末機器は少なくとも１台のストアサーバに接続され、前記記憶手段は前記ストアサーバに格納され、前記表示制御手段は、前記ストアサーバ部から前記画像データを読み出すとともに、読み出した画像データを、前記状態検出手段によって所定の操作が必要な状態になったことが検出された金銭処理装置に接続された端末機器の前記表示手段に表示させることを特徴とする。
【００１４】
また、本発明の請求項４に係るプログラムは、上述した請求項１から請求項３のいずれか一つに記載の金銭処理装置に接続される端末機器の表示部を前記表示手段として機能させるためのプログラムである。
【００１５】
また、本発明の請求項５に係るプログラムは、上述した請求項１から請求項３のいずれか一つに記載の金銭処理装置に接続される端末機器の表示部に前記金銭処理装置のための操作ガイダンス表示機能を実現させるためのプログラムである。
【００１６】
また、本発明の請求項６に係る記録媒体は、上述した請求項４または請求項５に記載のプログラムを記録したコンピュータ読み取り可能な記録媒体である。
【００２０】
なお、上記において、本発明に係る記録媒体は、本発明に係るデータまたはプログラムが記録された媒体であり、例えばフレキシブルディスク、ＣＤ−ＲＯＭ、ＤＶＤ−ＲＯＭ、磁気ディスク、光ディスク、光磁気ディスク、半導体メモリ等のコンピュータ読み取り可能な種々の媒体を意味するものである。また、データとしては、例えば文言データの場合にはテキストデータ、ＸＭＬ（ｅＸｔｅｎｓｉｂｌｅ  Ｍａｒｋｕｐ  Ｌａｎｇｕａｇｅ）データやＨＴＭＬ（Ｈｙｐｅｒ  Ｔｅｘｔ  Ｍａｒｋｕｐ  Ｌａｎｇｕａｇｅ）データなどを利用することができ、一方、画像データの場合にはＪＰＥＧ（Ｊｏｉｎｔ  Ｐｈｏｔｏｇｒａｐｈｉｃ  Ｅｘｐｅｒｔｓ  Ｇｒｏｕｐ）方式による画像データやＧＩＦ（Ｇｒａｐｈｉｃ  Ｉｎｔｅｒｃｈａｎｇｅ  Ｆｏｒｍａｔ）方式によるアニメーション画像データなどを利用することができる。
【発明の効果】
【００２１】
本発明に係る金銭処理装置用の操作ガイダンス表示システムによれば、状態検出手段によって金銭処理装置に所定の操作が必要な状態になったことが検出されると、記憶手段に格納された画像データを表示手段に表示させるので、操作者は、金銭処理装置の取扱説明書を参照せずとも所定の操作を容易に行うことができる。
【００２２】
また、本発明に係る他の金銭処理装置用の操作ガイダンス表示システムによれば、状態検出手段によって金銭処理装置のエラー状態が検出されると、エラー状態に対応する解除操作手順データを記憶手段から読み出すとともに、操作者によるエラー状態の解除操作の進捗状況に応じた画像データを、端末機器の表示手段に順次表示させるので、操作者は、金銭処理装置のエラー解除マニュアルを参照せずともエラー解除操作を容易に行うことができる。
【００２３】
また、本発明に係る他の金銭処理装置用の操作ガイダンス表示システムによれば、状態検出手段によって金銭処理装置における金銭の在高不確定状態が検出されると、在高枚数を再び計数するための操作手順を示す画像データを表示手段に表示させるので、操作者は、金銭処理装置の取扱説明書を参照せずとも再計数処理操作を容易に行うことができる。
【００２４】
また、本発明に係る他の金銭処理装置用の操作ガイダンス表示システムによれば、ストアサーバ部から読み出した画像データを、状態検出手段によって所定の操作が必要な状態になったことが検出された金銭処理装置に接続された端末機器の表示手段に表示させる。このように、複数の端末機器が接続された共通のストアサーバ部に操作手順を示す画像データを格納しておけば、各端末機器のメモリ部に画像データを格納しておかなくても、各端末機器から必要に応じてストアサーバ部にアクセスして必要な画像データを呼び出すことができてその画像データを当該端末機器の表示画面に表示することができる。
【発明を実施するための最良の形態】
【００２５】
以下、本発明の実施形態を図面を参照しながら説明する。図１は、本発明に係る金銭処理装置用の操作ガイダンス表示システムの構成の一例を示すブロック図である。
【００２６】
図１に示すように、本発明に係る金銭処理装置用の操作ガイダンス表示システム１０は、スーパーマーケットなどで買い物客との商取引が行われる際に情報を収集及び管理する端末機器としてのＰＯＳ端末１２で構成されており、ＰＯＳ端末１２には金銭処理装置としての自動釣銭機１４が接続されている。ＰＯＳ端末１２は、バーコードを不図示のバーコードリーダ（スキャナ）で読み取ることにより、商品名や価格、買い物客情報等のデータが即時に入力されるパーソナルコンピュータベースのレジスタで構成されており、端末制御部１６と、画面上で操作および表示可能な表示手段としてのタッチパネル１８と、記憶手段としてのハードディスク２０とを備える。
【００２７】
端末制御部１６は、ＰＯＳ端末の各部の動作を統括管理するものであり、演算処理を行うＣＰＵと、各種情報を記憶するメモリすなわち情報記憶媒体であるＲＡＭ（Ｒａｎｄｏｍ  Ａｃｃｅｓｓ  Ｍｅｍｏｒｙ）と、ＲＯＭ（Ｒｅａｄ  Ｏｎｌｙ  Ｍｅｍｏｒｙ）とを有している。これらは不図示のデータバスを介して互いに接続されている。また、自動釣銭機１４およびタッチパネル１８はそれぞれ不図示のデータバスを介してＣＰＵに接続されている。
【００２８】
ＰＯＳ端末１２のハードディスク２０には、そのオペレーティング・システム（ＯＳ：Ｏｐｅｒａｔｉｎｇ  Ｓｙｓｔｅｍ）としてＷｉｎｄｏｗｓ（米国マイクロソフト社の登録商標）が搭載され、このＷｉｎｄｏｗｓ上で動作するプログラムとしてのＰＯＳアプリケーション２２がインストールされている。ＰＯＳアプリケーション２２には、タッチパネル１８に自動釣銭機１４のための操作ガイダンス表示機能を実現させるためのプログラムが装備されている。また、ハードディスク２０は、本発明の操作ガイダンス表示システム１０に係る画像データ等を記憶する領域２４を有している。
【００２９】
ＰＯＳ端末１２と自動釣銭機１４との間のデータの送受信は、Ｗｉｎｄｏｗｓ環境下におけるＰＯＳデバイス・インターフェイスおよびアプリケーション・サービス・インターフェイスの標準化ドライバであるＯＰＯＳ（Ｏｐｅｎ  Ｐｏｉｎｔ  Ｏｆ  Ｓｅｒｖｉｃｅ）仕様に準拠したＯＰＯＳドライバ２６を介して行うようにされている。
【００３０】
自動釣銭機１４は、買い物客から預かった貨幣を入金して収納庫（不図示）に収納する一方で、出金指示により収納庫から釣銭を出金する装置であり、紙幣のみの入出金処理を取り扱う紙幣部２８と、硬貨のみの入出金処理を取り扱う硬貨部３０と、これら以外の処理を司るコントローラ部３２とを含んで構成されている。自動釣銭機１４は、ＰＯＳ端末１２からの出金指令信号および入金指令信号を受信してその指令に対応する処理を行う一方で、処理完了信号と収納庫枚数に関する信号と自動釣銭機１４で発生したエラーなどのイベント信号等をＰＯＳ端末１２に送信するようになっている。
【００３１】
紙幣部２８には、図示しない紙幣搬送路が設けられ、その途中には、万円紙幣、５千円紙幣、二千円紙幣および千円紙幣の各金種を判別する紙幣検銭部（不図示）が設けられる。また、硬貨部３０にも同様に図示しない硬貨搬送路が設けられ、その途中には、５００円硬貨、１００円硬貨、５０円硬貨、１０円硬貨、５円硬貨および１円硬貨の各金種を判別する硬貨検銭部（不図示）が設けられ、入出金処理される貨幣は、対応する搬送路を通過するようになっている。各々の搬送路には貨幣の搬送状態を監視するための状態検出手段としてのセンサ３４が設置されており、自動釣銭機１４はセンサ３４の検出に基づいてジャム（詰まり）を判別して、ジャムの発生箇所を特定するとともに、このエラー状態に対応するエラーコード信号をＰＯＳ端末１２に送信する。なお、ジャムを判定する手段としては例えばセンサ遮光時間の長短による判定を用いることができる。
【００３２】
次に、ＰＯＳ端末１２のハードディスク２０に格納される操作ガイダンス表示システム１０用の画像データ等について説明する。
図２に示すように、このデータ３６は、自動釣銭機１４のエラーを解除するための操作内容とその手順を示す複数のデータファイルからなり、階層型のフォルダ構造を有している。まず、最上位のメインフォルダ“ＥｃｓＫａｉｊｏ”が設けられ、フォルダ“ＥｃｓＫａｉｊｏ”以下の階層には、“コントロラ写真”、“コントロラ文言”、“硬貨写真”、“硬貨文言”、“紙幣写真”、“紙幣文言”の６つのサブフォルダが格納される。また、メインフォルダ“ＥｃｓＫａｉｊｏ”には、“ｂ＿ｔｅｊｙｕｎ．ｔｘｔ”、“ｃ＿ｔｅｊｙｕｎ．ｔｘｔ”、“ｃｔ＿ｔｅｊｙｕｎ．ｔｘｔ”の３つのテキスト形式のインデックスファイルが格納される。
【００３３】
サブフォルダにおいて、その名称に“写真”が付けられた“コントロラ写真”、“硬貨写真”、“紙幣写真”の各フォルダには、複数のＪＰＥＧ方式による「画像ファイル」３８が格納される。図２に示すように、例えば“硬貨写真”フォルダには“ｃ００１．ｊｐｇ”等の複数のＪＰＥＧ画像ファイルが格納される。また、その名称に“文言”が付けられた“コントロラ文言”、“硬貨文言”、“紙幣文言”の各フォルダには、エラー状態の内容をテキスト形式にて記述した「エラー内容文言ファイル」４０と、エラーを解除する操作の手順などの操作内容をテキスト形式にて記述した「解除操作文言ファイル」４２とが格納される。例えば“硬貨写真”フォルダには、“ｃＥｒｒ００．ｔｘｔ”等の複数のエラー内容文言ファイルと、“ｃ０３９．ｔｘｔ”等の複数の解除操作文言ファイルとが格納される。
【００３４】
画像ファイルは、エラー解除操作の各段階で操作者が目にする自動釣銭機１４の内部状況等を予め撮影した写真などによる画像データ形式のファイルであり、このファイルは操作の各段階に応じて複数用意されている。この画像ファイルとしては、例えば幅５１０×高さ３８０程度の画像ピクセルを有するＪＰＥＧ方式の画像データを用いることができる。画像ファイルは、硬貨部３０に発生するエラーに関するファイルについては “硬貨写真”フォルダに格納され、紙幣部２８用については“紙幣写真”フォルダに、コントローラ部３２用については“コントロラ写真”フォルダにそれぞれ格納される。
【００３５】
インデックスファイルは、紙幣部用インデックス情報を格納した“ｂ＿ｔｅｊｙｕｎ．ｔｘｔ”と、硬貨部用インデックス情報を格納した“ｃ＿ｔｅｊｙｕｎ．ｔｘｔ”と、コントローラ部用インデックス情報を格納した“ｃｔ＿ｔｅｊｙｕｎ．ｔｘｔ”の３つのインデックスファイルで構成される。
【００３６】
次に、インデックスファイルのデータ構造について説明する。
インデックスファイルは、図３に示すように、数値および文字列がカンマ（，）区切りで一行に並べられたデータセットが複数行にわたって記述されたテキストデータを格納したファイルである。このデータ配列については、各インデックスファイルに共通であるので、以下では、硬貨部用インデックスファイル“ｃ＿ｔｅｊｙｕｎ．ｔｘｔ”に記述されたデータ配列を例にとり具体的に説明する。
【００３７】
図３に示すように、各行の左から１番目の文字列には自動釣銭機のエラーコードを示す文字列が配置される。２番目に配置される文字列は「エラー内容文言ファイル」の名称が配置され、３番目〜１２番目には「画像ファイル」の名称がタッチパネル１８に表示される順番に配列されている。また、１３番目〜２２番目には「解除操作文言ファイル」の名称がタッチパネル１８に表示される順番に配列されている。これら「エラー内容文言ファイル」の名称および「解除操作文言ファイル」の名称は、１番目の文字列のエラーコードに関連づけられたファイルの名称であり、それぞれ、そのエラーコードに対応するエラー内容を示す文言を格納した「エラー内容文言ファイル」の名称、そのエラーを解除する操作内容を示す文言を格納した「解除操作文言ファイル」の名称とされている。
【００３８】
この場合、例えば、図３において、エラーコード“Ｂ１”に対応するデータセットについて説明すると、エラーコードは“Ｂ１”であり、エラー内容文言ファイル名称は“ｃＥｒｒＢ１．ｔｘｔ”であることがわかる。また、画像ファイル名称は“ｃ００１．ｊｐｇ”、“ｃ００３．ｊｐｇ”、“ｃ０２１．ｊｐｇ”、“ｃ０２３．ｊｐｇ”、“ｃ００１．ｊｐｇ”であり、この順番でタッチパネル１８に表示されるように設定されていることがわかる。一方、解除操作文言ファイル名称は、“ｃ００１．ｔｘｔ”、“ｃ００２．ｔｘｔ”、“ｃ００３．ｔｘｔ”、“ｃ００４．ｔｘｔ”、“ｃ００５．ｔｘｔ”であり、この順番でタッチパネル１８に表示されるように設定されていることがわかる。
【００３９】
なお、上記において「画像ファイル」の名称および「解除操作文言ファイル」の名称が配置されるべき箇所に“０”が配置されている場合には、該当する画像ファイルおよび解除操作文言ファイルが無いことを示す。つまり、後述するように、エラー解除操作が終了することを示すものである。また、図３では、エラーコードは１６進数表記とされ、０〜ＦＦ（１０進数表記で０〜２５６）までのデータが配列される例を示している。また、未定義のエラーコードに対応する「エラー内容文言ファイル」には、「該当エラーはありません」などと記述されてある。
【００４０】
このように、インデックスファイルには、「エラーコード」、「エラー内容文言ファイル」、「画像ファイル」、「解除操作文言ファイル」の組み合わせによるデータセットが自動釣銭機１４のエラーコード毎に予め配列される。
【００４１】
次に、インデックスファイルの参照方法について図４のフローチャートを参照しながら説明する。
本発明に係る操作ガイダンス表示システム１０の表示制御手段の機能によって、自動釣銭機からＰＯＳ端末１２に送られるエラーコードを、ＯＰＯＳドライバ２６などのＰＯＳドライバを介してＰＯＳアプリケーション２２によって読み出す（ステップＳ１００）。このエラーコードを解析することによってエラー発生ユニットが硬貨部３０か紙幣部２８かコントローラ部３２であるかの特定を行う（ステップＳ１１０）。そして、表示制御手段の機能により、特定されたユニットに対応するインデックスファイルを選択する（ステップＳ１２０）。この場合、例えば特定されたエラー発生ユニットが硬貨部３０の場合には硬貨部３０用のインデックスファイル“ｃ＿ｔｅｊｙｕｎ．ｔｘｔ”が選択される。そして、インデックスファイル内に記述されたデータセットからエラーコードに対応するデータ行を検索する（ステップＳ１３０）。そして、その行に記述されている「エラー内容文言ファイル」、「画像ファイル」、「解除操作文言ファイル」の読み出しを行うとともに（ステップＳ１４０）、順次ＰＯＳ端末１２のタッチパネル１８に表示をする（ステップＳ１５０）。
【００４２】
なお、上記のエラーコードの解析手段としては、例えば、自動釣銭機１４から受け取った１０進数表記のエラーコードを公知の手段により１６進数表記へ変換する方法を用いてもよい。この場合、例えば、図５に示すように、１６進数表記へ変換した後のエラーコードにおいて、右から１桁目および２桁目で構成される数字を具体的なエラーコード番号となるように解析内容を予め設定しておくとともに、３桁目が処理（動作）コード番号で、４桁目がエラー発生ユニットコード番号に変換されるように解析内容を予め設定しておくようにする。この場合、例えば、この４桁目のユニットコード番号が“１”の場合にはエラー発生ユニットがコントローラ部３２であることを示し、“２”の場合には紙幣部２８、“３”の場合には硬貨部３０であることを示すようにしてもよい。なお、自動釣銭機１４に備わる７セグメントＬＥＤ表示部などに、このエラー発生ユニット名称を略式表示させるようにしてもよく、例えば、コントローラ部３２の場合は「ＣｔＬ」と、紙幣部２８の場合は「ｂＬ」と、硬貨部３０の場合は「Ｃｎ」と表示させてもよい。
【００４３】
次に、本発明に係る金銭処理装置用の操作ガイダンス表示システム１０の動作および作用について説明する。
例えば、自動釣銭機１４におけるエラーとして硬貨部３０における検銭部の詰まりがセンサ３４によって検出される場合について説明する。この場合、自動釣銭機１４がジャムイベントとして認識すると、自動釣銭機１４はこのエラーに対応するエラーコードをＰＯＳ端末１２に出力する。ＰＯＳアプリケーション２２は、ＯＰＯＳドライバ２６を介して自動釣銭機１４のエラーコードを読み出し、エラーコードを解析して硬貨部３０でエラーが発生したことを認識する。そして、ＰＯＳアプリケーション２２は、ハードディスク２０に格納された“ＥｃｓＫａｉｊｏ”フォルダ３６にアクセスし、このフォルダ３６に格納されている硬貨部３０用のインデックスファイル“ｃ＿ｔｅｊｙｕｎ．ｔｘｔ”を読み出す。そして、インデックスファイルに記述されたデータレコードのなかから、認識したエラーコードに該当する行を検索し、その行に記述されている「エラー内容文言ファイル」、「画像ファイル」、「解除操作文言ファイル」の名称を取得する。
【００４４】
そして、ＰＯＳアプリケーション２２は、“ＥｃｓＫａｉｊｏ”フォルダ３６以下のサブフォルダの中から硬貨部用の“硬貨写真”フォルダおよび“硬貨文言”フォルダにアクセスする。そして“硬貨写真”フォルダからは上記で取得したファイル名称に対応する画像ファイルを、“硬貨文言”フォルダからは上記で取得したファイル名称に対応するエラー内容文言ファイルと、解除操作文言ファイルとを読み出す。読み出した画像ファイル、エラー内容文言ファイル、解除操作文言ファイルをＰＯＳ端末１２のタッチパネル１８に順次表示することにより、自動釣銭機１４のエラー解除操作を支援するためのガイダンス内容を表示する。このように、ＰＯＳアプリケーション２２はこのタッチパネル１８を本発明に係る表示手段として機能させるプログラムとされている。
【００４５】
図６は、ＰＯＳ端末１２のタッチパネル１８に表示される操作ガイダンス内容のイメージの一例を示している。画面５４の上側にはエラー内容を示す「検銭部詰まり」の文言４４が表示される。画面５４中央にはエラー解除操作を支援するための自動釣銭機１４の内部状況を示す画像４６が表示され、画像４６の左側には「戻る」ボタン４８、画像の右側には「進む」ボタン５０が表示される。また、画面５４の下側には解除操作内容を示す「検銭部（１）を開け、詰まり硬貨を取り除きます。」というメッセージ文言５２が表示される。
【００４６】
図６に示す画面５４において、エラー内容を示す「検銭部詰まり」の文言４４は、エラーコードに対応して読み出されたエラー内容文言ファイル内に記述されていたテキスト「検銭部詰まり」が表示されたものである。これによって、操作者は、自動釣銭機１４におけるエラー内容が「検銭部詰まり」であることを認識することができる。
【００４７】
また、解除操作内容を示す「検銭部（１）を開け、詰まり硬貨を取り除きます。」の文言５２は、エラーコードに対応して読み出された解除操作文言ファイル内に記述されていたテキスト「検銭部（１）を開け、詰まり硬貨を取り除きます。」が表示されたものである。これによって、操作者は、自動釣銭機１４におけるエラーを解除するために操作すべき内容は「検銭部（１）を開け、詰まり硬貨を取り除」けばよいことを把握することができる。
【００４８】
また、エラー解除操作内容をイメージにて示した写真画像４６においては、イメージの略中央には検銭部の位置が矢印で示されており、イメージの左側に写った人の手によって検銭部の場所が指差されている。この写真画像４６は、エラーコードに対応して読み出された画像ファイルの写真画像データが表示されたものである。これによって、操作者は、自動釣銭機１４におけるエラーを解除するための操作イメージを把握することができる。なお、この写真画像４６は、解除操作内容を示す「検銭部（１）を開け、詰まり硬貨を取り除きます。」の文言５２と共に連携的に同一画面５４内に表示されるので、操作者はより確実に操作内容を把握することができる。
【００４９】
そして、操作者は画面５４の表示に従って自動釣銭機１４の検銭部（１）を開く操作を行うとともに詰まった硬貨を取り除けばよい。そして、「進む」ボタン５０を押して次の操作段階に進むと、タッチパネル１８は次の操作段階に対応する画面（不図示）を表示するようになる。この次の画面の表示形式は図６に示される画面５４と同様であり、画面中央には次のエラー解除操作内容を示すイメージ画像が表示され、画面上側にはエラー内容を示す「検銭部詰まり」が、画面下側には次の解除操作内容が表示されることとなる。ここで、表示されるデータは、エラーコードに対応して読み出されたファイルであり、例えば図３のデータ構造を有するインデックスファイルを読み出す場合であって検出されたエラーコードが“Ｂ１”であるときに、ある時点において表示される画像ファイルが“ｃ０２１．ｊｐｇ”であり、解除操作文言ファイルが“ｃ００３．ｔｘｔ”であったとすると、「進む」ボタン５０を押して切り替わった次の画面で表示されるデータは、画像ファイルが“ｃ０２３．ｊｐｇ”であり、解除操作文言ファイルが“ｃ００４．ｔｘｔ”であるようにすることができる。
【００５０】
そして、操作者は操作が完了する毎に「進む」ボタン５０を押すことによって、タッチパネル１８における画面５４の表示を次の操作段階をガイダンスする画面へと切り替える。「進む」ボタン５０を押して表示内容が尽きた段階でエラー解除操作は終了し、自動釣銭機１４はエラー状態が解除されて正常状態に復帰することとなる。なお、前の操作段階を表示したい場合には「戻る」ボタン４８を押すことにより前の画面を表示することができる。
【００５１】
このように、本発明によれば、操作者は、ＰＯＳ端末１２のタッチパネル１８に表示された画像イメージおよび解除操作内容に従って自動釣銭機１４のエラー解除操作を行えばよく、自動釣銭機１４の取扱説明書などエラー解除ハンドブックを参照せずともエラー解除操作を容易に行うことができる。
【００５２】
上記の実施形態において、自動釣銭機１４における金銭の在高枚数が確定しない在高不確定状態を検出する検出部を設けてもよく、この検出部によって在高不確定状態が検出されると、ＰＯＳ端末１２にその信号が送られて、ＰＯＳアプリケーション２２は、この信号に基づいて自動釣銭機１４における金銭の在高枚数を再び計数するための操作手順を示す画像データや文言データをタッチパネル１８に表示させるように機能するようにしてもよい。この場合における画像データや文言データは、上記の実施形態と同様のデータ構造を有するフォルダ３６に格納することができる。この場合、専用のインデックスファイルを設けてもよい。
【００５３】
上記の実施形態において、自動釣銭機１４がそれぞれ接続された複数のＰＯＳ端末１２が１台のストアサーバにネットワーク接続される構成に対して適用してもよい。この場合、操作ガイダンス表示システムに用いるデータファイルとしての“ＥｃｓＫａｉｊｏ”フォルダ３６をストアサーバに格納することができる。そして、各ＰＯＳ端末１２のＰＯＳアプリケーション２２からストアサーバにアクセスして所定の画像データおよび文言データを読み出すとともに、読み出したデータを、アクセスを行ったＰＯＳ端末１２のタッチパネル１８に表示させるようにしてもよい。この場合、各ＰＯＳ端末１２のハードディスク２０などに上記データファイルを格納せずにすみ、このデータファイルをストアサーバ側にて一元的に管理できるので、データファイル内容の更新などのメンテナンス作業が容易となる。
【００５４】
上記の実施形態において、ファイルの名称については、画像ファイル名称を「＃＊＊＊．ｊｐｇ」とし、解除操作文言ファイル名称を「＃＊＊＊．ｔｘｔ」とし、さらに、エラー内容文言ファイル名称を「＃Ｅｒｒ＊＊．ｔｘｔ」として、各ファイルの先頭文字「＃」を共通にすることで、エラーコードとエラー解除操作内容を示した多数のデータファイルとを関連づけることができる。ここで、「＊」は０〜９のいずれかの数字であり、例えば「＊＊＊」は「０００」から「９９９」までの任意の三桁の数字をとり得る。「．ｊｐｇ」、「．ｔｘｔ」はファイルの種類を示す拡張子である。また、「＃」は「ｃ」または「ｂ」または「ｃｔ」のいずれかの文字列とすることができ、例えば、「ｃ」は硬貨部用を示し、「ｂ」は紙幣部用を示し、「ｃｔ」はコントローラ部用を示すようにできる。このため、類似した多数のファイルの情報処理を効率よくすることができる。
【００５５】
上記の実施形態において、図７に示すように、自動釣銭機１４から送られるエラーコード等の信号は、ＰＯＳ端末１２のＯＰＯＳドライバ２６を経ないでＰＯＳアプリケーション２２側に読み出される構成としてもよく、このようにしても本発明と同一の効果を奏することができる。また、上記の実施形態において、本発明の操作ガイダンス表示システム１０に係る画像データ等すなわちデータファイルとしての“ＥｃｓＫａｉｊｏ”フォルダ３６をハードディスク２０に格納する構成について説明したが、このようにする代わりに、“ＥｃｓＫａｉｊｏ”フォルダ３６をＰＯＳ端末１２の端末制御部１６のＲＡＭに常駐させるようにして用いたり、“ＥｃｓＫａｉｊｏ”フォルダ３６が格納されたＵＳＢメモリ等をＰＯＳ端末１２に接続してもよい。このようにしても本発明と同一の効果を奏することができる。
【００５６】
上記の実施形態においては、ＰＯＳ端末１２におけるＯＳ（オペレーティング・システム）としてＷｉｎｄｏｗｓ（米国マイクロソフト社の登録商標）が搭載される場合について説明したが、本発明ではＰＯＳ端末に搭載されるＯＳが例えばＵＮＩＸ（登録商標）などの他のＯＳであってもよく、ＯＳの種類に関係なく適用することができる。
【００５７】
また、上記において、ＰＯＳ端末１２側のＰＯＳアプリケーション２２としては、上記データファイルを記録したコンピュータ読み取り可能な記録媒体から所定のデータを読み出して、そのデータをＰＯＳ端末１２のタッチパネル１８に表示することができるプログラムであればよく、操作ガイダンス表示画面５４のデザインは、例えばＰＯＳアプリケーション２２を開発または提供する業者側で自由に設定することができる。
【００５８】
また、仕様や機種の異なる自動釣銭機１４を新規導入する場合であっても、ＰＯＳ端末１２のハードディスク２０における上記データファイルとしての画像ファイル等の入れ替えを行うだけで以前と変わりない態様でタッチパネル１８に操作ガイダンス内容を表示できる。このため新規導入に係るメンテナンス作業は手間がかからず容易である。したがって、バージョンアップされた金銭処理装置をＰＯＳ端末に接続する事態が生じた場合などにおいても迅速かつ簡便に対応することができる。また、上記データファイルを記録した記録媒体を読み取り可能なＰＯＳ端末であれば本発明と同一の効果を奏することができるので、ＰＯＳ端末の機種に依存することもない。
【図面の簡単な説明】
【００５９】
【図１】本発明の実施形態に係る操作ガイダンス表示システムの構成の一例を示すブロック図である。
【図２】本発明の実施形態に係る操作ガイダンス表示システムに用いるデータファイルのフォルダ構造の一例を示すフォルダ階層図である。
【図３】インデックスファイルのデータ配列構造の一例を示す図である。
【図４】本発明の実施形態に係る操作ガイダンス表示システムによる表示制御手順の一例を示すフローチャートである。
【図５】エラーコードを１６進数表記に変換した場合のデータ配列の一例を示す説明図である。
【図６】本発明の実施形態に係る操作ガイダンス表示システムのタッチパネルに表示される画面の一例を示すイメージ図である。
【図７】本発明の他の実施形態に係るブロック図である。
【符号の説明】
【００６０】
１０  操作ガイダンス表示システム
１２  ＰＯＳ端末
１４  自動釣銭機
１８  タッチパネル
２０  ハードディスク
２２  ＰＯＳアプリケーション
３４  センサ
３６  データファイル
３８  画像ファイル
４０  エラー内容文言ファイル
４２  解除操作文言ファイル
【図１】
0005239384.tif 000002
【図２】
0005239384.tif 000003
【図３】
0005239384.tif 000004
【図４】
0005239384.tif 000005
【図５】
0005239384.tif 000006
【図６】
0005239384.tif 000007
【図７】
0005239384.tif 000008